【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
適応幾何学分割によりピクチャの少なくとも一部について双方向予測可能ピクチャデータをエンコードするエンコーダを有し、
前記適応幾何学分割のための幾何学パーティションは、リファレンスピクチャの第１リストに対応する予測判断材料の第１の組、リファレンスピクチャの第２のリストに対応する予測判断材料の第２の組、及び双方向予測に用いられ、前記第１の組及び前記第２の組のうち少なくとも一方からの予測判断材料を含む予測判断材料の第３の組から選択される少なくとも１つの予測判断材料を用いて予測され、
前記適応幾何学分割に対して用いられる幾何学モードは、他の既存モードとインターリーブされるもの及び前記他の既存モードの間に詰められるもののうち少なくとも１つである、装置。
【請求項２】
前記エンコーダは、ブロックパーティションモードと、前記予測判断材料の第１の組に対応する予測記述子、前記予測判断材料の第２の組に対応する予測記述子、及び前記予測判断材料の第３の組に対応する双方向予測予測記述子のうち少なくとも１つとを、統一された符号語により、共に符号化する、請求項１記載の装置。
【請求項３】
前記適応幾何学分割に対して用いられる幾何学パーティションモードに対応する適応幾何学分割モード符号語は、他のサブパーティションブロックに使用されるよりも小さいか又はそれと等しい符号語長さを有する、請求項２記載の装置。
【請求項４】
前記エンコーダは、モード順序付けを、前記双方向予測可能ピクチャデータをエンコードするために用いられるモード識別子について、同等でない長さの符号語の組にマッピングする、請求項１記載の装置。
【請求項５】
前記エンコーダは、用いられるエントロピ符号化方法に依存して、前記双方向予測可能ピクチャデータをエンコードするために用いられる幾何学モード識別子について、幾何学モード順序付けを変更する、請求項１記載の装置。
【請求項６】
適応幾何学分割によりピクチャの少なくとも一部について双方向予測可能ピクチャデータをエンコードするステップを有し、
前記適応幾何学分割のための幾何学パーティションは、リファレンスピクチャの第１リストに対応する予測判断材料の第１の組、リファレンスピクチャの第２のリストに対応する予測判断材料の第２の組、及び双方向予測に用いられ、前記第１の組及び前記第２の組のうち少なくとも一方からの予測判断材料を含む予測判断材料の第３の組から選択される少なくとも１つの予測判断材料を用いて予測され、
前記適応幾何学分割に対して用いられる幾何学モードは、他の既存モードとインターリーブされるもの及び前記他の既存モードの間に詰められるもののうち少なくとも１つである、方法。
【請求項７】
前記エンコードするステップは、ブロックパーティションモードと、前記予測判断材料の第１の組に対応する予測記述子、前記予測判断材料の第２の組に対応する予測記述子、及び前記予測判断材料の第３の組に対応する双方向予測予測記述子のうち少なくとも１つとを、統一された符号語により、共に符号化するステップを有する、請求項６記載の方法。
【請求項８】
前記適応幾何学分割に対して用いられる幾何学パーティションモードに対応する適応幾何学分割モード符号語は、他のサブパーティションブロックに使用されるよりも小さいか又はそれと等しい符号語長さを有する、請求項７記載の方法。
【請求項９】
前記エンコードするステップは、モード順序付けを、前記双方向予測可能ピクチャデータをエンコードするために用いられるモード識別子について、同等でない長さの符号語の組にマッピングするステップを有する、請求項６記載の方法。
【請求項１０】
前記エンコードするステップは、用いられるエントロピ符号化方法に依存して、前記双方向予測可能ピクチャデータをエンコードするために用いられる幾何学モード識別子について、幾何学モード順序付けを変更するステップを有する、請求項６記載の方法。
【請求項１１】
適応幾何学分割によりピクチャの少なくとも一部について双方向予測可能ピクチャデータをデコードするデコーダを有し、
前記適応幾何学分割のための幾何学パーティションは、リファレンスピクチャの第１リストに対応する予測判断材料の第１の組、リファレンスピクチャの第２のリストに対応する予測判断材料の第２の組、及び双方向予測に用いられ、前記第１の組及び前記第２の組のうち少なくとも一方からの予測判断材料を含む予測判断材料の第３の組から選択される少なくとも１つの予測判断材料を用いて予測され、
前記適応幾何学分割に対して用いられる幾何学モードは、他の既存モードとインターリーブされるもの及び前記他の既存モードの間に詰められるもののうち少なくとも１つである、装置。
【請求項１２】
前記デコーダは、統一された符号語から、ブロックパーティションモードと、前記予測判断材料の第１の組に対応する予測記述子、前記予測判断材料の第２の組に対応する予測記述子、及び前記予測判断材料の第３の組に対応する双方向予測予測記述子のうち少なくとも１つとをデコードする、請求項１１記載の装置。
【請求項１３】
前記適応幾何学分割に対して用いられる幾何学パーティションモードに対応する適応幾何学分割モード符号語は、他のサブパーティションブロックに使用されるよりも小さいか又はそれと等しい符号語長さを有する、請求項１２記載の装置。
【請求項１４】
前記デコーダは、同等でない長さの符号語の組を、前記双方向予測可能ピクチャデータをデコードするために用いられるモード識別子についてのモード順序付けにマッピングする、請求項１１記載の装置。
【請求項１５】
前記デコーダは、用いられるエントロピ符号化方法に依存して、前記双方向予測可能ピクチャデータをデコードするために用いられる幾何学モード識別子について、幾何学モード順序付けを変更する、請求項１１記載の装置。
【請求項１６】
適応幾何学分割によりピクチャの少なくとも一部について双方向予測可能ピクチャデータをデコードするステップを有し、
前記適応幾何学分割のための幾何学パーティションは、リファレンスピクチャの第１リストに対応する予測判断材料の第１の組、リファレンスピクチャの第２のリストに対応する予測判断材料の第２の組、及び双方向予測に用いられ、前記第１の組及び前記第２の組のうち少なくとも一方からの予測判断材料を含む予測判断材料の第３の組から選択される少なくとも１つの予測判断材料を用いて予測され、
前記適応幾何学分割に対して用いられる幾何学モードは、他の既存モードとインターリーブされるもの及び前記他の既存モードの間に詰められるもののうち少なくとも１つである、方法。
【請求項１７】
前記デコードするステップは、統一された符号語から、ブロックパーティションモードと、前記予測判断材料の第１の組に対応する予測記述子、前記予測判断材料の第２の組に対応する予測記述子、及び前記予測判断材料の第３の組に対応する双方向予測予測記述子のうち少なくとも１つとをデコードするステップを有する、請求項１６記載の方法。
【請求項１８】
前記適応幾何学分割に対して用いられる幾何学パーティションモードに対応する適応幾何学分割モード符号語は、他のサブパーティションブロックに使用されるよりも小さいか又はそれと等しい符号語長さを有する、請求項１７記載の方法。
【請求項１９】
前記デコードするステップは、同等でない長さの符号語の組を、前記双方向予測可能ピクチャデータをデコードするために用いられるモード識別子についてのモード順序付けにマッピングするステップを有する、請求項１６記載の方法。
【請求項２０】
前記デコードするステップは、用いられるエントロピ符号化方法に依存して、前記双方向予測可能ピクチャデータをデコードするために用いられる幾何学モード識別子について、幾何学モード順序付けを変更するステップを有する、請求項１６記載の方法。
【手続補正２】
【補正対象書類名】明細書
【補正対象項目名】００９３
【補正方法】変更
【補正の内容】
【００９３】
［関連出願の相互参照］
本願は、２００７年１０月１２日に出願された米国仮出願番号第６０／９７９，５８６号に基づく優先権を主張するものであり、この基礎出願は参照により本願に援用される。
ここで例としていくつかの付記を記載する。
（付記１）
適応幾何学分割によりピクチャの少なくとも一部について双方向予測可能ピクチャデータをエンコードするエンコーダを有し、
前記適応幾何学分割のための幾何学パーティションは、リファレンスピクチャの第１リストに対応する予測判断材料の第１の組、リファレンスピクチャの第２のリストに対応する予測判断材料の第２の組、及び双方向予測に用いられ、前記第１の組及び前記第２の組のうち少なくとも一方からの予測判断材料を含む予測判断材料の第３の組から選択される少なくとも１つの予測判断材料を用いて予測される、装置。
（付記２）
前記エンコーダは、ブロックパーティションモードと、前記予測判断材料の第１の組に対応する予測記述子、前記予測判断材料の第２の組に対応する予測記述子、及び前記予測判断材料の第３の組に対応する双方向予測予測記述子のうち少なくとも１つとを、統一された符号語により、共に符号化する、付記１記載の装置。
（付記３）
前記適応幾何学分割に対して用いられる幾何学パーティションモードに対応する適応幾何学分割モード符号語は、他のサブパーティションブロックに使用されるよりも小さいか又はそれと等しい符号語長さを有する、付記２記載の装置。
（付記４）
前記適応幾何学分割に対して用いられる幾何学モードは、他の既存モードとインターリーブされるもの及び前記他の既存モードの間に詰められるもののうち少なくとも１つである、付記１記載の装置。
（付記５）
前記エンコーダは、モード順序付けを、前記双方向予測可能ピクチャデータをエンコードするために用いられるモード識別子について、同等でない長さの符号語の組にマッピングする、付記１記載の装置。
（付記６）
前記エンコーダは、用いられるエントロピ符号化方法に依存して、前記双方向予測可能ピクチャデータをエンコードするために用いられる幾何学モード識別子について、幾何学モード順序付けを変更する、付記１記載の装置。
（付記７）
適応幾何学分割によりピクチャの少なくとも一部について双方向予測可能ピクチャデータをエンコードするステップを有し、
前記適応幾何学分割のための幾何学パーティションは、リファレンスピクチャの第１リストに対応する予測判断材料の第１の組、リファレンスピクチャの第２のリストに対応する予測判断材料の第２の組、及び双方向予測に用いられ、前記第１の組及び前記第２の組のうち少なくとも一方からの予測判断材料を含む予測判断材料の第３の組から選択される少なくとも１つの予測判断材料を用いて予測される、方法。
（付記８）
前記エンコードするステップは、ブロックパーティションモードと、前記予測判断材料の第１の組に対応する予測記述子、前記予測判断材料の第２の組に対応する予測記述子、及び前記予測判断材料の第３の組に対応する双方向予測予測記述子のうち少なくとも１つとを、統一された符号語により、共に符号化するステップを有する、付記７記載の方法。
（付記９）
前記適応幾何学分割に対して用いられる幾何学パーティションモードに対応する適応幾何学分割モード符号語は、他のサブパーティションブロックに使用されるよりも小さいか又はそれと等しい符号語長さを有する、付記８記載の方法。
（付記１０）
前記適応幾何学分割に対して用いられる幾何学モードは、他の既存モードとインターリーブされるもの及び前記他の既存モードの間に詰められるもののうち少なくとも１つである、付記７記載の方法。
（付記１１）
前記エンコードするステップは、モード順序付けを、前記双方向予測可能ピクチャデータをエンコードするために用いられるモード識別子について、同等でない長さの符号語の組にマッピングするステップを有する、付記７記載の方法。
（付記１２）
前記エンコードするステップは、用いられるエントロピ符号化方法に依存して、前記双方向予測可能ピクチャデータをエンコードするために用いられる幾何学モード識別子について、幾何学モード順序付けを変更するステップを有する、付記７記載の方法。
（付記１３）
適応幾何学分割によりピクチャの少なくとも一部について双方向予測可能ピクチャデータをデコードするデコーダを有し、
前記適応幾何学分割のための幾何学パーティションは、リファレンスピクチャの第１リストに対応する予測判断材料の第１の組、リファレンスピクチャの第２のリストに対応する予測判断材料の第２の組、及び双方向予測に用いられ、前記第１の組及び前記第２の組のうち少なくとも一方からの予測判断材料を含む予測判断材料の第３の組から選択される少なくとも１つの予測判断材料を用いて予測される、装置。
（付記１４）
前記デコーダは、統一された符号語から、ブロックパーティションモードと、前記予測判断材料の第１の組に対応する予測記述子、前記予測判断材料の第２の組に対応する予測記述子、及び前記予測判断材料の第３の組に対応する双方向予測予測記述子のうち少なくとも１つとをデコードする、付記１３記載の装置。
（付記１５）
前記適応幾何学分割に対して用いられる幾何学パーティションモードに対応する適応幾何学分割モード符号語は、他のサブパーティションブロックに使用されるよりも小さいか又はそれと等しい符号語長さを有する、付記１４記載の装置。
（付記１６）
前記適応幾何学分割に対して用いられる幾何学モードは、他の既存モードとインターリーブされるもの及び前記他の既存モードの間に詰められるもののうち少なくとも１つである、付記１３記載の装置。
（付記１７）
前記デコーダは、同等でない長さの符号語の組を、前記双方向予測可能ピクチャデータをデコードするために用いられるモード識別子についてのモード順序付けにマッピングする、付記１３記載の装置。
（付記１８）
前記デコーダは、用いられるエントロピ符号化方法に依存して、前記双方向予測可能ピクチャデータをデコードするために用いられる幾何学モード識別子について、幾何学モード順序付けを変更する、付記１３記載の装置。
（付記１９）
適応幾何学分割によりピクチャの少なくとも一部について双方向予測可能ピクチャデータをデコードするステップを有し、
前記適応幾何学分割のための幾何学パーティションは、リファレンスピクチャの第１リストに対応する予測判断材料の第１の組、リファレンスピクチャの第２のリストに対応する予測判断材料の第２の組、及び双方向予測に用いられ、前記第１の組及び前記第２の組のうち少なくとも一方からの予測判断材料を含む予測判断材料の第３の組から選択される少なくとも１つの予測判断材料を用いて予測される、方法。
（付記２０）
前記デコードするステップは、統一された符号語から、ブロックパーティションモードと、前記予測判断材料の第１の組に対応する予測記述子、前記予測判断材料の第２の組に対応する予測記述子、及び前記予測判断材料の第３の組に対応する双方向予測予測記述子のうち少なくとも１つとをデコードするステップを有する、付記１９記載の方法。
（付記２１）
前記適応幾何学分割に対して用いられる幾何学パーティションモードに対応する適応幾何学分割モード符号語は、他のサブパーティションブロックに使用されるよりも小さいか又はそれと等しい符号語長さを有する、付記２０記載の方法。
（付記２２）
前記適応幾何学分割に対して用いられる幾何学モードは、他の既存モードとインターリーブされるもの及び前記他の既存モードの間に詰められるもののうち少なくとも１つである、付記１９記載の方法。
（付記２３）
前記デコードするステップは、同等でない長さの符号語の組を、前記双方向予測可能ピクチャデータをデコードするために用いられるモード識別子についてのモード順序付けにマッピングするステップを有する、付記１９記載の方法。
（付記２４）
前記デコードするステップは、用いられるエントロピ符号化方法に依存して、前記双方向予測可能ピクチャデータをデコードするために用いられる幾何学モード識別子について、幾何学モード順序付けを変更するステップを有する、付記１９記載の方法。
（付記２５）
エンコードされたビデオ信号データを有する記憶媒体であって、
適応幾何学分割によりエンコードされた、ピクチャの少なくとも一部についての双方向予測可能ピクチャデータを有し、
前記適応幾何学分割のための幾何学パーティションは、前方予測判断材料の組、後方予測判断材料の組、及び双方向予測判断材料の組から選択される少なくとも１つの予測判断材料を用いて予測される、記憶媒体。